(57)【要約】【課題】  網点画像を含む文書画像のカラー構成を行う際に、網点濃度・形状等の網点情報を維持したまま適切な色補正を実行することができる画像処理方法及び画像処理装置並びにプログラムを提供する。【解決手段】  擬似多値化部１３は、カラー文書画像中の網点画像の中間調を各色毎に擬似多値化して各色毎の網点濃度データを得、色変換部１４は、各色毎の網点濃度データを色変換して色補正データを得る。次いで、出力画像作成部１５は、網点濃度データと色補正データとを用いて各色毎に出力階調を決定し、文書画像を各色毎に決定した出力階調を用いて網点形状を維持したまま置き換えることにより各色毎の出力画像を得る。そして、プリンタの出力階調に応じて減色部１６で減色した後、減色後の各色毎の出力画像を出力する。【選択図】  図１
2007158433.tif 000002
【特許請求の範囲】
【請求項１】
網点画像を含むカラー文書画像をカラー出力装置でカラー出力する際に該網点画像のカラー校正を行う画像処理方法であって、
前記文書画像中の網点画像の中間調を各色毎に擬似多値化して各色毎の網点濃度データを得る階調変換工程と、
前記各色毎の網点濃度データを色変換して色補正データを得る色変換工程と、
前記網点濃度データと前記色補正データとを用いて各色毎に出力階調を決定し、前記文書画像を各色毎に決定した前記出力階調を用いて網点形状を維持したまま置き換えることにより各色毎の出力画像を得る置換工程と
前記各色毎の出力画像を出力する出力工程と
を有することを特徴とする画像処理方法。
【請求項２】
前記各色毎の出力画像を前記カラー出力装置で出力可能な階調数以下に減色した減色画像データを得る減色工程をさらに有し、
前記出力工程は、各色毎の前記減色画像データを出力する
ことを特徴とする請求項１に記載の画像処理方法。
【請求項３】
前記色変換工程が、前記カラー出力装置及び前記カラー文書画像が該カラー出力装置で形成される記録用紙の種類に応じて予め準備された色特性テーブルを用いて色変換を行うことを特徴とする請求項１又は２に記載の画像処理方法。
【請求項４】
前記置換工程が、前記出力画像を得る際に、対象となる色に網点画像中の画素が存在しない場合、該画素が存在する他色の画素をコピーして、該画素の出力階調を置き換えることを特徴とする請求項１から３までのいずれか１項に記載の画像処理方法。
【請求項５】
前記置換工程が、前記出力画像を得る際に、前記色補正データを前記網点濃度データで除算した結果に基づいて前記出力階調を決定することを特徴とする請求項１から４までのいずれか１項に記載の画像処理方法。
【請求項６】
前記置換工程が、前記カラー出力装置及び前記カラー文書画像が該カラー出力装置で形成される記録用紙の種類に応じて予め準備された濃度特性テーブルを用いて前記出力階調を決定することを特徴とする請求項１から５までのいずれか１項に記載の画像処理方法。
【請求項７】
前記置換工程が、網点濃度と階調との組み合わせに対して、それぞれの組み合わせでカラー出力した際に測定される濃度を割り当てた前記濃度特性テーブルを用いて前記出力階調を決定することを特徴とする請求項６に記載の画像処理方法。
【請求項８】
前記カラー出力装置で前記網点画像が形成される記録用紙上に網点濃度と階調とを変化させたパッチを並べたチャートを印刷し測色して前記濃度特性テーブルを作成するテーブル作成工程をさらに有することを特徴とする請求項７に記載の画像処理方法。
【請求項９】
テーブル作成工程が、同一記録用紙内に異なる色のパッチを混在させた前記チャートを印刷することを特徴とする請求項８に記載の画像処理方法。
【請求項１０】
前記カラー文書画像の校正刷り段階において、該カラー文書画像を本印刷で使用される印刷機と同じ色味になるように前記カラー出力装置で出力することを特徴とする請求項１に記載の画像処理方法。
【請求項１１】
網点画像を含むカラー文書画像をカラー出力装置でカラー出力する際に該網点画像のカラー校正を行う画像処理装置であって、
前記文書画像中の網点画像の中間調を各色毎に擬似多値化して各色毎の網点濃度データを得る階調変換手段と、
前記各色毎の網点濃度データを色変換して色補正データを得る色変換手段と、
前記網点濃度データと前記色補正データとを用いて各色毎に出力階調を決定し、前記文書画像を各色毎に決定した前記出力階調を用いて網点形状を維持したまま置き換えることにより各色毎の出力画像を得る置換手段と
前記各色毎の出力画像を出力する出力手段と
を備えることを特徴とする画像処理装置。
【請求項１２】
網点画像を含むカラー文書画像をカラー出力装置でカラー出力する際に該網点画像のカラー校正を行うコンピュータに、
前記文書画像中の網点画像の中間調を各色毎に擬似多値化して各色毎の網点濃度データを得る階調変換手順と、
前記各色毎の網点濃度データを色変換して色補正データを得る色変換手順と、
前記網点濃度データと前記色補正データとを用いて各色毎に出力階調を決定し、前記文書画像を各色毎に決定した前記出力階調を用いて網点形状を維持したまま置き換えることにより各色毎の出力画像を得る置換手順と
前記各色毎の出力画像を出力する出力手順と
を実行させるためのプログラム。
【発明の詳細な説明】
【技術分野】
【０００１】
本発明は、インクジェットプリンタ等のカラー出力装置においてカラー文書画像を出力する際に網点画像のカラー校正をする画像処理方法及び画像処理装置並びにプログラムに関する。
【背景技術】
【０００２】
新聞等のカラー文書印刷では、最終的な印刷の開始前に、カラー画像部分が適切な色味であるかどうかを確かめるために、通常「校正刷り」と呼ばれる試し刷りが行われる。近年では、製版工程がコンピュータ化され、安価かつ出力が容易なインクジェットプリンタで、製版フィルムの作成を介さずに校正刷りを行う方法が行われている。しかし、インクジェットプリンタと本印刷に用いる印刷機とでは、印刷方式やインクの発色特性等が異なり、同じ画像データを出力したとしても同じ色味になるとは限らない。そこで、インクジェットプリンタで出力する際に、カラー画像に色補正処理を行って、本印刷に用いる印刷機と同じ色味となるようにすることが行われている。
【０００３】
例えば、新聞等のカラー印刷においては、シアン（ｃ）、マゼンタ（ｍ）、イエロー（ｙ）、ブラック（ｋ）の４版からなる画像データが用いられる。また、写真等の画像部分は、網点面積率により濃度が表現されている。したがって、各版はインクを打つか打たないかの２値で表された画像データとなっている。
【０００４】
前述したように、インクジェットプリンタから出力する際にはカラー画像に対して色補正を行う。そのため、２値画像のままで補正できるのは、４版のそれぞれについてインクを打つか打たないかを組み合わせた計１６色の場合についてのみとなり、これらの１６色以外の中間色については適切な色とはならない場合がある。これを解決するために、２値画像データに含まれる網点の中間調を再現し、それぞれの中間調に応じた補正を行う方法が開示されている（例えば、特許文献１参照。）。
【０００５】
しかしながら、特許文献１に記載の方法では、中間調に対する色補正には適用されるものの、ディスクリーニング後の画像を出力画像とするため、最終出力物上のディテールが失われてしまうという問題がある。その解決として特許文献２に、色補正を元の２値画像に反映することにより、色補正を適用しつつ最終出力物上のディテールが維持される方法が開示されている。
【０００６】
特許文献２に記載の方法では、まず２値画像を多階調化し、次にその画像をディスクリーニングし、次にその画像の各画素を予め作成されたテーブルに照らし補正値を求め、次に多階調化した２値画像の各画素の階調に補正値を加算することにより実現される。
【特許文献１】特開平８−１８５５０５号公報
【特許文献２】特開２００１−１４４９７９号公報
【発明の開示】
【発明が解決しようとする課題】
【０００７】
しかしながら、特許文献２に記載の方法では、色補正結果が求める色にならないという問題がある。特許文献２に記載の実施例を用いてこの問題を説明する。ここでは、画像データＤｏが（ｃ，ｍ，ｙ，ｋ）＝（１００，０，０，０）であって、ディスクリーニングされた後の画像データＤｄが（ｃ，ｍ，ｙ，ｋ）＝（２５，２５，２５，０）の画素Ｐに注目する。そして、注目画素Ｐへの色補正データＤｃが（ｃ，ｍ，ｙ，ｋ）＝（−１０，−５，０，０）とする。この場合、色補正された画像データＤｘはＤｏ＋Ｄｃで演算され、（ｃ，ｍ，ｙ，ｋ）＝（９０，０，０，０）となる。以後、ディスクリーニング後の網点の階調を網点濃度と呼ぶ。
【０００８】
図１３は、特許文献２に記載の従来方法を説明するための図である。すなわち、図１３（ａ）に示すようなシアン版の当該領域は、最終的に、図１３（ｂ）に示すように、階調９０で網点濃度２５となる。ここで、印刷機とインクジェットプリンターの出力の色がほぼ同等になる画像データＤｔは、Ｄｄ＋Ｄｃの（ｃ，ｍ，ｙ，ｋ）＝（１５，２０，２５，０）である。すなわち、図１３（ｃ）に示すように、領域内を階調１５で一様に色付けられた領域をインクジェットプリンターから出力したものが、印刷機と色が合うということになる。
【０００９】
特許文献２に記載の方法では、図１３（ｂ）と図１３（ｃ）とは同じ色になるとしているが、これには無理がある。なぜならば、これが成立すると仮定すると、例えば図１３（ｄ）に示すような階調７５で網点濃度２５の画像は、一様に０、つまりインクが何も載っていない領域と同等の色ということになってしまうからである。実際に、多値の階調で網点を出力する場合、その色は網点濃度と階調の組み合わせから決定され、それぞれ独立の要素であって直接の加減をすることはできないものである。
【００１０】
本発明は、このような事情を考慮し、網点画像を含む文書画像のカラー構成を行う際に、網点濃度・形状等の網点情報を維持したまま適切な色補正を実行することができる画像処理方法及び画像処理装置並びにプログラムを提供することを目的とする。
【課題を解決するための手段】
【００１１】
上記課題を解決するために、本発明は、網点画像を含むカラー文書画像をカラー出力装置でカラー出力する際に該網点画像のカラー校正を行う画像処理方法であって、
前記文書画像中の網点画像の中間調を各色毎に擬似多値化して各色毎の網点濃度データを得る階調変換工程と、
前記各色毎の網点濃度データを色変換して色補正データを得る色変換工程と、
前記網点濃度データと前記色補正データとを用いて各色毎に出力階調を決定し、前記文書画像を各色毎に決定した前記出力階調を用いて網点形状を維持したまま置き換えることにより各色毎の出力画像を得る置換工程と
前記各色毎の出力画像を出力する出力工程と
を有することを特徴とする。
【００１２】
また、上記課題を解決するために、本発明は、網点画像を含むカラー文書画像をカラー出力装置でカラー出力する際に該網点画像のカラー校正を行う画像処理装置であって、
前記文書画像中の網点画像の中間調を各色毎に擬似多値化して各色毎の網点濃度データを得る階調変換手段と、
前記各色毎の網点濃度データを色変換して色補正データを得る色変換手段と、
前記網点濃度データと前記色補正データとを用いて各色毎に出力階調を決定し、前記文書画像を各色毎に決定した前記出力階調を用いて網点形状を維持したまま置き換えることにより各色毎の出力画像を得る置換手段と
前記各色毎の出力画像を出力する出力手段と
を備えることを特徴とする。
【００１３】
さらに、上記課題を解決するために、本発明に係るプログラムは、網点画像を含むカラー文書画像をカラー出力装置でカラー出力する際に該網点画像のカラー校正を行うコンピュータに、
前記文書画像中の網点画像の中間調を各色毎に擬似多値化して各色毎の網点濃度データを得る階調変換手順と、
前記各色毎の網点濃度データを色変換して色補正データを得る色変換手順と、
前記網点濃度データと前記色補正データとを用いて各色毎に出力階調を決定し、前記文書画像を各色毎に決定した前記出力階調を用いて網点形状を維持したまま置き換えることにより各色毎の出力画像を得る置換手順と
前記各色毎の出力画像を出力する出力手順と
を実行させることを特徴とする。
【発明の効果】
【００１４】
本発明によれば、網点画像を含む文書画像のカラー構成を行う際に、網点濃度・形状等の網点情報を維持したまま適切な色補正を実行することができる。
【発明を実施するための最良の形態】
【００１５】
以下、図面を参照して、本発明の好適な実施形態についていくつかの実施例を挙げて説明する。初めに、本実施形態で使用する画像処理システムについて説明する。
【００１６】
図１は、本発明の実施形態における画像処理システムの構成を示すブロック図である。図１に画像処理システムは、ＲＩＰ装置１２と画像処理装置１１と出力装置１７とを備えている。尚、画像処理装置１１は、擬似多値化部１３と色変換部１４と出力画像作成部１５と減色部１６を備える。ＲＩＰ装置１２では、出力対象となる２値画像データＩｉを作成する。そして、擬似多値化部１３は、ニ値画像の網点の中間調を疑似的に多値の階調に変換し網点濃度データＩｍを得る。また、色変換部１４は、網点濃度データＩｍを色変換して色補正データＩｃを得る。さらに、出力画像作成部１５は、網点濃度データＩｍと色補正データＩｃから出力階調を決定し、２値画像データＩｉの画素をその出力階調に置き換えて出力画像データＩｏを得る。さらにまた、減色部１６は、出力画像データＩｏを減色して減色画像データＩｐを得る。尚、本実施形態では画像処理装置１１に減色部１６を備える構成としているが、出力部１７に減色機能が含まれる場合は必要ない。
【００１７】
図２は、本発明の一実施形態に係る画像処理システムにおける画像処理装置（コンピュータ）の細部構成を示すブロック図である。図２において、ＣＰＵ２０１は、システムバス２１２に接続された各デバイスを統括的に制御する。また、ＲＡＭ２０２は、ＣＰＵ２０１の主メモリ、ワークエリア、一時退避領域等として機能する。さらに、ＲＯＭ２０３は、ブートプログラムが記憶されている。
【００１８】
入力制御部２０４は、キーボードやマウス等のポインティングデバイスで実現される入力部２０５からの入力を制御する。また、表示制御部２０６は、ＣＲＴモニタや液晶モニタ等で実現される表示部２０７による表示を制御する。さらに、外部メモリ制御部２０８は、次のようなプログラム等を記憶する外部メモリ２０９へのアクセスを制御する。すなわち、外部メモリ２０９は、ＣＰＵ２０１の制御プログラムであるオペレーションシステム（ＯＳ）や、本データ予測装置の各種機能を実現するためのプログラムや上記各種データベース（ＤＢ）、各種ファイル等を記憶する。また、外部メモリ２０９は、各種アプリケーション、各種マスタファイル、ユーザファイル等の各種データを記憶する。
【００１９】
外部メモリ２０９には、さらに本データ予測装置の各種機能を実現するための各種テーブル等が記憶されている。尚、外部メモリ２０９としては、ハードディスク（ＨＤ）やフレキシブルディスク（ＦＤ）、ＰＣＭＣＩＡカードスロットにアダプタを介して接続可能なコンパクトフラッシュ（登録商標）やスマートメディア等が挙げられる。本実施形態における処理は、ＣＰＵ２０１により外部メモリ２０９に記録されているプログラムが必要に応じてＲＡＭ２０２にロードされ、該プログラムの制御に基づき、ＣＰＵ２０１によって実行されるものとする。
【００２０】
また、通信Ｉ／Ｆ制御部２１０は、ＬＡＮやインターネット等のネットワーク２１１を介して外部機器との通信制御処理を実行する。
【００２１】
以下では、上記構成を有する画像処理システムにおける網点画像の補正処理の詳細について実施例を挙げて説明する。
【００２２】
＜第１の実施例＞
図３は、本発明の第１の実施例に係る画像処理システムにおけるカラー画像処理の詳細を説明するためのフローチャートである。尚、以下では、多値階調を０％から１００％までの濃度で表す。
【００２３】
まず、２値画像データＩｉの網点の中間調を擬似多値化部１３において疑似的に多値化し、網点濃度データＩｍを得る（ステップＳ１１）。多値化の一例として、矩形領域内で描画される画素数を数え上げ、総画素数で除算する方法がある。図４は、擬似多値化部１３で行われる擬似多値化処理を説明するための図である。図４には、１辺８画素の計６４点の領域で描画される５２点の画素が示されている。また、描画される画素の階調は１００％であるとする。したがって、この領域の濃度は、１００％×５２÷６４＝８１．２５％となる。尚、シアン、マゼンタ、イエロー、ブラックのそれぞれの版で、全ての領域に対して同様の処理を行う。
【００２４】
次に、色変換部１４において、ステップＳ１１で得られた網点濃度データＩｍに対し色変換を行い、色補正データＩｃを得る（ステップＳ１２）。具体的には、例えばＩＣＣプロファイル等の色特性テーブルを用いたカラーマッチング処理等を行い、インクジェットプリンタで出力した際に本印刷と同じ色となる階調を求める。ここで得られた階調は、網点濃度１００％の領域をその階調で出力した場合に、本印刷と同じ色になる階調である。尚、色変換に用いるＩＣＣプロファイル等の色特性テーブルは、例えば出力を行うプリンタ毎若しくは当該プリンタで網点画像が印刷される記録用紙毎等に準備して、その出力に応じたものを用いてもよい。
【００２５】
次に、出力画像作成部１５において、出力画像データＩｏの作成を行う（ステップＳ１３）。図５は、図３のフローチャートの出力画像作成処理（ステップＳ１３）の詳細を説明するためのフローチャートである。尚、この処理を、シアン、マゼンタ、イエロー、ブラックのそれぞれの版で、ステップＳ１１で多値化を行った領域毎に行う。
【００２６】
まず、ステップＳ１１で得られた網点濃度データＩｍを取得する（ステップＳ２１）。次に、ステップＳ１２で得られた色補正データＩｃを取得する（ステップＳ２２）。次に、変更が必要であるか否かを判断する（ステップＳ２３）。ステップＳ２３では、網点濃度データＩｍと色補正データＩｃが等しい場合は変更の必要がないと判断し（Ｎｏ）、出力階調Ｖを１００％としてステップＳ２８に進む。
【００２７】
一方、ステップＳ２３で変更が必要であると判断された場合は（Ｙｅｓ）、次いで変更対象となる画素が存在するかを判断する（ステップＳ２４）。その結果、画素が存在しない場合（Ｎｏ）は、画素が存在する他版の同一領域から画素をコピーし（ステップＳ２５）、その網点濃度Ｉｍを取得する（ステップＳ２６）。これは、本実施形態では色の調節が画素の階調を変化させることにより実現されているためであって、調節対象となる画素が存在しない場合に求める色とならないことを避けるためである。例えば、ステップＳ１１で得られた網点濃度データが（ｃ，ｍ，ｙ，ｋ）＝（８１．２５％，０％，０％，０％）となる領域を考える。この領域に対するステップＳ１２での色変換の結果が（ｃ，ｍ，ｙ，ｋ）＝（６０％，１０％，０％，０％）となった場合、シアン版についての処理は行えるが、マゼンタ版については階調を調節する対象となる画素がないために処理が行えないこととなる。その場合、他の画素が存在する版の同一領域の画素をコピーする。それにより、階調を調節する対象となる画素を発生させることができ、かつ、同一形状であるため新たな網点が発生しない。結果として網点形状を崩さずに階調を調節する対象となる画素を発生させることができ、補正データを適切に再現する調節が可能となる。
【００２８】
次に、ステップＳ２７で出力階調Ｖを決定するが、これは色補正データＩｃを網点濃度データＩｍで除算することにより求められる。そして、ステップＳ２８では、２値画像データの当該領域の画素を出力階調Ｖに置き換える。
【００２９】
例えば、図４に示す例は前述したように網点濃度が８１．２５％であるが、そのステップＳ１２の結果が階調６０％の色補正データとなった場合、出力階調は、６０％÷８１．２５％＝７３．８５…％にする必要がある。図６は、図４の網点画像に色補正が適用された後の網点画像の一例を示す図である。図４の各画素を図６の各画素ように、その出力階調を７３．８５…％にする。すなわち、図６の領域をステップＳ１１と同様に多値化すると５２÷６４×７３．８５…％＝６０％となり、この領域はステップＳ１２で得られた色変換結果の６０％と等しい濃度となる。したがって、図６に示す網点画像を出力することにより、本印刷で出力した場合と同じ網点形状であって、かつ、同じ色でプリンタから出力できることがわかる。
【００３０】
図７は、マゼンダ版に描画画素がない場合の網点画像の一例を示す図であって、調節対象の画素がない場合の例の処理結果である。すなわち、シアン版の画素は６０％÷８１．２５％＝７３．８５…％の階調に、マゼンタ版はシアン版の画素をコピーし、その画素の階調が１０％÷８１．２５％＝１２．３１…％になっている。このようにすることにより、シアン版の領域をステップＳ１１と同様に多値化すると、５２÷６４×７３．８５…％＝６０％となる。また、同様にマゼンタ版は、５２÷６４×１２．３１…％＝１０％となる。これは、色変換結果の（ｃ，ｍ，ｙ，ｋ）＝（６０％，１０％，０％，０％）に等しくなる。したがって、図７に示す網点画像を出力することにより、印刷機で出力した場合と同じ網点形状であって、かつ、同じ色でプリンタから出力できることがわかる。
【００３１】
次に、ステップＳ１４で、出力画像データＩｏをインクジェットプリンタから出力できるように減色して減色画像データＩｐを得る。インクジェットプリンタの画素単位の表現力は２値程度であるので、出力画像データＩｏを例えばディザ法や誤差拡散法等によりプリンタが表現できる階調数まで減色する。そして、減色画像データＩｐをプリンタに送り、印刷物を得る（ステップＳ１５）。
【００３２】
＜第２の実施例＞
次に、第１の実施例と同じハードウェア構成の画像処理システムを用いた第２の実施例について説明する。
【００３３】
上述した第１の実施例のステップＳ２７においては、処理対象の矩形領域をステップＳ１１と同様な多値化を行った際に、色補正データＩｃの階調となるよう出力画像データＩｏの描画画素の階調を決定している。これは第１の実施例では、ある領域とその領域をステップＳ１１と同様な多値化を行って得られた階調にした網点濃度１００％の領域とが、印刷した際に同じ濃度になると仮定しているためである。しかし、その関係が崩れたプリンタの場合、第１の実施例のステップＳ２７の方法では求める色とならない場合がある。
【００３４】
図８は、網点濃度と階調と測定濃度の関係を説明するための図である。ある領域のステップＳ１１の結果が網点濃度８０％であり、そのステップＳ１２の結果が階調６０％であった場合、ステップＳ２７の結果は６０％÷８０％＝７５％となる。その時、第１の実施例に従うプリンタは、図８に示すプリンタ１のように、網点濃度１００％の領域を描画画素の階調６０％で出力した時の濃度Ｄａに等しくなる。しかし、図８に示すプリンタ２の場合は、描画画素の階調が７５％の時に濃度Ｄｂとなり、求める濃度Ｄａとなっていない。そこで、第２の実施例では、図８に示すプリンタ２のような特性を持つプリンタの場合に、あらかじめ把握された濃度特性に基づき階調を決定する方法について説明する。尚、予め濃度特性を把握する処理と第１の実施例のステップＳ２７の処理以外の処理については、前述した第１の実施例と同様である。
【００３５】
図９は、網点濃度と階調と測定濃度の関係を調べるためのチャートの一例を示す図である。まず、前もって図９に示すような網点濃度とその描画画素の階調を組み合わせたパッチをレイアウトしたチャートをシアン、マゼンタ、イエロー、ブラックの各色でプリンタから出力し、濃度を測定し濃度データＤを得る。その際、用紙内に各色のパッチを配置し、１枚のチャートとし出力及び測定を行ってもよい。そして、その濃度データＤを、網点濃度と階調の組み合わせに対して格納し、濃度特性テーブルＴを作成する。
【００３６】
図１０は、濃度特性テーブルの一例を示す図である。尚、図１０に示すような濃度特性テーブルは、プリンタの色特性が変わらない限りは毎回出力する必要はなく、一度作成すればよい。
【００３７】
次に、第１実施例と同様な処理を実行することとなるが、ステップＳ１３内のステップＳ２７の出力階調決定の処理が異なっている。図１１は、本発明の第２の実施例における出力階調決定処理手順を説明するためのフローチャートである。
【００３８】
まず、ステップＳ２１で得られた網点濃度における階調と測定濃度の関係Ｒを濃度特性テーブルＴから求める（ステップＳ３１）。例えば、シアン版でステップＳ２１の結果が網点濃度８１．２５％であった場合に、図１０の濃度特性テーブルのシアンの網点濃度７５％と１００％の値を参照し、階調と測定濃度との関係Ｒを補間計算により求める。図１２は、ステップＳ３１で求められた関係Ｒをプロットした様子を示す図である。
【００３９】
次に、網点濃度１００％の領域をステップＳ２２で得られた色補正データの階調にして出力した場合に測定される濃度Ｄｃを濃度特性テーブルＴから求める（ステップＳ３２）。例えば、ステップＳ１２の結果が階調６０％であった場合、図１０の濃度特性テーブルのシアンの網点濃度１００％の値を参照し、階調６０％の時の測定濃度Ｄｃを補間計算により求める。図１２にシアンの網点濃度１００％の階調と測定濃度の関係をプロットしたが、階調６０％の時の測定濃度がそれである。
【００４０】
次に、関係Ｒにおいて測定濃度Ｄｃとなる階調を求め、その階調を出力階調Ｖとする（ステップＳ３３）。図１２では、７８％がその階調である。そして、以降は、第１の実施例と同様の処理を行う。
【００４１】
尚、本実施例では濃度を基準に階調を求めたが、プリンタの特性に応じて明度、色差等の他の基準にしても構わない。また、濃度特性テーブルをプリンタ毎又は用紙毎等に準備し、出力に応じたものを用いてもよい。
【００４２】
＜その他の実施形態＞
以上、実施形態例を詳述したが、本発明は、例えば、システム、装置、方法、プログラム若しくは記憶媒体（記録媒体）等としての実施態様をとることが可能である。具体的には、複数の機器から構成されるシステムに適用しても良いし、また、一つの機器からなる装置に適用しても良い。
【００４３】
尚、本発明は、前述した実施形態の機能を実現するソフトウェアのプログラム（実施形態では図に示すフローチャートに対応したプログラム）を、システムあるいは装置に直接あるいは遠隔から供給する。そして、そのシステムあるいは装置のコンピュータが該供給されたプログラムコードを読み出して実行することによっても達成される場合を含む。
【００４４】
従って、本発明の機能処理をコンピュータで実現するために、該コンピュータにインストールされるプログラムコード自体も本発明を実現するものである。つまり、本発明は、本発明の機能処理を実現するためのコンピュータプログラム自体も含まれる。
【００４５】
その場合、プログラムの機能を有していれば、オブジェクトコード、インタプリタにより実行されるプログラム、ＯＳに供給するスクリプトデータ等の形態であっても良い。
【００４６】
プログラムを供給するための記録媒体としては、例えば、以下のようなものがある。フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）。
【００４７】
その他、プログラムの供給方法としては、クライアントコンピュータのブラウザを用いてインターネットのホームページからハードディスク等の記録媒体にダウンロードすることによっても供給できる。すなわち、ホームページに接続し、該ホームページから本発明のコンピュータプログラムそのもの、もしくは圧縮され自動インストール機能を含むファイルをダウンロードする。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明に含まれるものである。
【００４８】
また、本発明のプログラムを暗号化してＣＤ−ＲＯＭ等の記憶媒体に格納してユーザに配布する。そして、所定の条件をクリアしたユーザに対し、インターネットを介してホームページから暗号化を解く鍵情報をダウンロードさせる。そして、その鍵情報を使用することにより暗号化されたプログラムを実行してコンピュータにインストールさせて実現することも可能である。
【００４９】
また、コンピュータが、読み出したプログラムを実行することによって、前述した実施形態の機能が実現される。その他にも、そのプログラムの指示に基づき、コンピュータ上で稼動しているＯＳなどが、実際の処理の一部または全部を行い、その処理によっても前述した実施形態の機能が実現され得る。
【００５０】
さらに、記録媒体から読み出されたプログラムが、コンピュータに挿入された機能拡張ボードやコンピュータに接続された機能拡張ユニットに備わるメモリに書き込まれた後にも前述した実施形態の機能が実現される。すなわち、そのプログラムの指示に基づき、その機能拡張ボードや機能拡張ユニットに備わるＣＰＵなどが実際の処理の一部または全部を行うことによっても前述した実施形態の機能が実現される。
【図面の簡単な説明】
【００５１】
【図１】本発明の実施形態における画像処理システムの構成を示すブロック図である。
【図２】本発明の一実施形態に係る画像処理システムにおける画像処理装置（コンピュータ）の細部構成を示すブロック図である。
【図３】本発明の第１の実施例に係る画像処理システムにおけるカラー画像処理の詳細を説明するためのフローチャートである。
【図４】擬似多値化部１３で行われる擬似多値化処理を説明するための図である。
【図５】図３のフローチャートの出力画像作成処理（ステップＳ１３）の詳細を説明するためのフローチャートである。
【図６】図４の網点画像に色補正が適用された後の網点画像の一例を示す図である。
【図７】マゼンダ版に描画画素がない場合の網点画像の一例を示す図であって、調節対象の画素がない場合の例の処理結果である。
【図８】網点濃度と階調と測定濃度の関係を説明するための図である。
【図９】網点濃度と階調と測定濃度の関係を調べるためのチャートの一例を示す図である。
【図１０】濃度特性テーブルの一例を示す図である。
【図１１】本発明の第２の実施例における出力階調決定処理手順を説明するためのフローチャートである。
【図１２】ステップＳ３１で求められた関係Ｒをプロットした様子を示す図である。
【図１３】特許文献２に記載の従来方法を説明するための図である。
【符号の説明】
【００５２】
１１  画像処理装置
１２  ＲＩＰ部
１３  疑似多値化部
１４  色変換部
１５  出力画像作成部
１６  減色部
１７  出力部
Ｉｉ  処理対象となる２値画像データ
Ｉｍ  疑似多値化後の網点濃度データ
Ｉｃ  色補正データ
Ｉｏ  出力画像データ
Ｉｐ  減色画像データ
【図１】
2007158433.tif 000003
【図２】
2007158433.tif 000004
【図３】
2007158433.tif 000005
【図４】
2007158433.tif 000006
【図５】
2007158433.tif 000007
【図６】
2007158433.tif 000008
【図７】
2007158433.tif 000009
【図８】
2007158433.tif 000010
【図９】
2007158433.tif 000011
【図１０】
2007158433.tif 000012
【図１１】
2007158433.tif 000013
【図１２】
2007158433.tif 000014
【図１３】
2007158433.tif 000015